(57)【要約】【課題】吊子の上下位置を調節できながら、補助フレームを吊子に連動して前後に傾動することができる折版屋根を得る。【解決手段】隣接する折版屋根材１・１の内外の連結部１２・１３を吊子３の上端係合部２６と共にはぜ締めすることにより、折版屋根材１・１どうしが連結されている。屋根下地体６に固定したフレーム２と、折版屋根材１の肩壁１１を受け止める補助フレーム５との間に吊子３の垂下板部２７を挟んだ状態で、吊子３と補助フレーム５とがフレーム２に対してボルト７で前後揺動可能に取り付けられている。補助フレーム５は、ボルト７が挿通する丸孔３１を設けた基部３２と、基部３２の上端から吊子３の反対側へ延びて折版屋根材１の肩壁１１を受け止める受け部３３とを有する。吊子３の垂下板部２７は、ボルト７が挿通する上下縦長の長孔２９と、長孔２９の前後の側方に配してあって補助フレーム５の基部３２の前後の側面に当接する突起３０・３０とを有する。【選択図】図１
0003107382.tif 000002
【実用新案登録請求の範囲】
【請求項１】
各折版屋根材（１）の左右の両側縁に連結部（１２・１３）がそれぞれ形成されていて、隣接する折版屋根材（１・１）の連結部（１２・１３）を吊子（３）の上部（２６）と共にはぜ締めすることにより、折版屋根材（１・１）どうしが連結されており、
屋根下地体（６）に固定したフレーム（２）と、折版屋根材（１）の端部（１１）の下面を受け止める補助フレーム（５）との間に吊子（３）の下部（２７）を挟んだ状態で、吊子（３）と補助フレーム（５）とがフレーム（２）に対してボルト（７）で前後揺動可能に取り付けられる折版屋根であって、
補助フレーム（５）は、ボルト（７）が挿通する孔（３１）を設けた基部（３２）と、基部（３２）の上端から吊子（３）の反対側へ延びて折版屋根材（１）の端部（１１）の下面を受け止める受け部（３３）とを有しており、
吊子（３）の下部（２７）は、ボルト（７）が挿通する上下縦長の長孔（２９）と、長孔（２９）の前後の少なくとも一側方に配してあって補助フレーム（５）の基部（３２）の前後の少なくとも一側面に当接する突起（３０）とを有する折版屋根。
【請求項２】
突起（３０）は、長孔（２９）の前後にそれぞれ配されていて、両突起（３０・３０）で補助フレーム（５）の基部（３２）を挟み込んでいる請求項１記載の折版屋根。
【請求項３】
突起（３０）は、補助フレーム（５）側の側面（３０ａ）が平面になっていて、補助フレーム（５）の基部（３２）に対して面接触している請求項２記載の折版屋根。
【考案の詳細な説明】
【技術分野】
【０００１】
本考案は、隣接する折版屋根材どうしを連結状態で屋根下地体に取り付ける折版屋根に関する。
【背景技術】
【０００２】
特許文献１には、隣接する折版屋根材の連結部を吊子の上部と共にはぜ締めすることにより、折版屋根材どうしが連結されており、かつ、屋根下地体に固定したフレームと、折版屋根材の端部の下面を受け止める補助フレームとの間に前記吊子の下部を挟んだ状態で、吊子と補助フレームとをフレームに対してボルトおよびナットで取り付けている。そこでは、吊子の下端部がＬ字状に折れ曲がって補助フレームの下端を受け止めており、これによって補助フレームが吊子に連動して前後に傾くようになっている。
【０００３】
【特許文献１】実公昭６２−４３０５１号公報（第２図）
【考案の開示】
【考案が解決しようとする課題】
【０００４】
折版屋根材は、通常の断熱材を裏張りしたもので５mm程度の厚さ寸法であるが、断熱性能の高い断熱材を裏張りした場合には１０〜２０mm程度の厚さ寸法になって、折版屋根材の連結部の位置が相対的に高くなるため、これに合わせて吊子の上下長さを大きくする必要がある。ところが、折版屋根材の厚さ寸法に応じて、上下長さの異なる吊子をいくつか用意していたのでは、製造コストが掛かるうえに管理が煩わしい。
【０００５】
この対策として、特許文献１の折版屋根において吊子の下部に設けたボルト挿通用の孔を上下縦長にして、吊子の上下位置を調節できるようにすることが考えられるが、その場合、吊子の下端部が補助フレームの下端に突き当たるために、吊子の上下位置を調節できないことになる。
【０００６】
そこで本考案の目的は、吊子の上下位置を調節できながら、補助フレームを吊子に連動して前後に傾動することができる折版屋根を提供することにある。
【課題を解決するための手段】
【０００７】
本考案の折版屋根は、図２に示すごとく、各折版屋根材１の左右の両側縁に連結部１２・１３がそれぞれ形成されていて、隣接する折版屋根材１・１の連結部１２・１３を吊子３の上部２６と共にはぜ締めすることにより、折版屋根材１・１どうしが連結されている。屋根下地体６に固定したフレーム２と、折版屋根材１の端部１１の下面を受け止める補助フレーム５との間に吊子３の下部２７を挟んだ状態で、吊子３と補助フレーム５とが、フレーム２に対してボルト７で前後揺動可能に取り付けられている。
【０００８】
本考案は、かかる折版屋根において、図１に示すごとく、補助フレーム５が、ボルト７が挿通する孔３１を設けた基部３２と、基部３２の上端から吊子３の反対側へ延びて折版屋根材１の端部１１の下面を受け止める受け部３３とを有しており、吊子３の下部２７は、ボルト７が挿通する上下縦長の長孔２９と、長孔２９の前後の少なくとも一側方に配してあって補助フレーム５の基部３２の前後の少なくとも一側面に当接する突起３０とを有する。
【０００９】
その突起３０は、長孔２９の前後にそれぞれ配されていて、両突起３０・３０で補助フレーム５の基部３２を挟み込んでいるものとすることができる。ここでは、突起３０・３０と補助フレーム５の基部３２との間に隙間があってもよい。また、突起３０は、補助フレーム５側の側面３０ａが平面になっていて、補助フレーム５の基部３２に対して面接触する。
【考案の効果】
【００１０】
本考案によれば、ボルト７が挿通する吊子３の長孔２９を上下縦長にしたので、吊子３の上下位置調節が可能になって、断熱材などを裏張りした厚手の折版屋根材１にも、通常の薄手の折版屋根材１にも、一種類の吊子３で対応することができる。また、軒下部分の折版屋根材１をラジアル加工した場合や、屋根下地体６などが不陸の場合などにも吊子３の上下位置を調節して対応することができる。
【００１１】
吊子３に設けた突起３０は、補助フレーム５の前後の側面に当接するので、補助フレーム５が吊子３に連動して前後に傾く。したがって、吊子３と補助フレーム５との前後傾斜を別々に調節しなくても済み、折版屋根の施工時の手間を軽減できる。しかも、突起３０は補助フレーム５の前後の側面に当接するので、突起３０が吊子３の上下調節移動を邪魔することがない。
【００１２】
二つの突起３０・３０で補助フレーム５の基部３２を挟み込むと、補助フレーム５が吊子３に確実に連動して前後に傾くことになる。また、突起３０が、補助フレーム５の垂直板部３２に対して面接触すると、突起３０が補助フレーム５にしっかりと当たって、吊子３に対して補助フレーム５ががたつき難くなり、補助フレーム５が吊子３により確実に連動して前後に傾くことになる。
【考案を実施するための最良の形態】
【００１３】
図面は、本考案が対象とする折版屋根を示しており、図１および図２に示すごとく、折り曲げ形成した塗装鋼板製の折版屋根材１と、左右方向に長い金属板を折り曲げ形成したフレーム２と、金属板製の吊子３と、金属板製の逆Ｌ字状の補助フレーム５とを含む。フレーム２は屋根下地体６上に固定されており、フレーム２と補助フレーム５との間に吊子３の垂下板部（下部）２７を挟んだ状態で、吊子３と補助フレーム５とがフレーム２に対してボルト７およびナット９で前後揺動可能に取り付けられる。
【００１４】
折版屋根材１は、図２に示すごとく、逆台形断面状の主壁１０と、その左右の両側縁から外側へ水平に張り出し形成される肩壁（端部）１１・１１と、各肩壁１１の側端にそれぞれ連続して上方へ折り曲げ形成される内連結部１２および外連結部１３とを一体に形成したロール成形品からなる。内連結部１２は、右側の肩壁１１に連続する垂直の基部１５と、この基部１５の上端に連続していて、アラビア数字の３の形に折り曲げられる内接合部１６とを有する。外連結部１３は、左側の肩壁１１に連続する垂直の基部１７と、この基部１７に連続していて、円弧状に折り曲げられる外接合部１９とを有する。
【００１５】
フレーム２は、図１に示すごとく、屋根下地体６上に載せた状態で固定される取付板部２０と、取付板部２０の右端から斜め上方向に延びる斜板部２１と、取付板部２０の左端から上方へ垂直に延びる垂直板部２２と、斜板部２１と垂直板部２２との上端間をつなぐ受け板部２３とを有する。受け板部２３は、前後方向に円弧状に湾曲していて、折版屋根材１の右側の肩壁１１の下面を受け止める。フレーム２の垂直板部２２には、ボルト７が挿通する丸孔２５を設けてある。
【００１６】
吊子３は、図１および図２に示すごとく、フック状に湾曲形成した上端係合部（上部）２６と、上端係合部２６から下方へ延びる前記垂下板部２７と、垂下板部２７に設けられてボルト７が挿通する上下縦長の長孔２９と、長孔２９の前後にそれぞれ配された前後一対の突起３０・３０とを有する。補助フレーム５は、ボルト７が挿通する丸孔３１を設けた基部３２と、基部３２の上端から吊子３の反対側へ水平に延びる受け部３３とを有する。補助フレーム５の受け部３３は、折版屋根材１の左側の肩壁１１の下面を受け止める。
【００１７】
吊子３の両突起３０・３０は、図３に示すごとく補助フレーム５の基部３２を前後から挟み込んでおり、これによって吊子３が前後に傾くと、それに連動して補助フレーム５が前後に傾くようになっている（図３の仮想線参照）。両突起３０・３０は、垂下板部２７の一部を補助フレーム５側に打ち出すことでそれぞれ形成されている。両突起３０・３０は、図１に示すごとく補助フレーム５側の側面３０ａが平面になっており、図４に示すごとく補助フレーム５の基部３２に対して面接触する。これにより、両突起３０・３０が補助フレーム５にしっかりと当たって、吊子３に対して補助フレーム５ががたつき難くなる。
【００１８】
折版屋根を構築する場合には、フレーム２を屋根下地体６上に固定したのち（図１の状態）、図４および図５に示すごとく、ボルト７をフレーム２の丸孔２５、吊子３の長孔２９および補助フレーム５の丸孔３１にそれぞれ通して、ナット９で仮締めする。
【００１９】
次いで、折版屋根材１の内連結部１２の内接合部１６を吊子３の上端係合部２６に内嵌した状態で、折版屋根材１をフレーム２の上側に被せ、さらに隣接する別の折版屋根材１の外連結部１３の外接合部１９を吊子３の上端係合部２６および先の内接合部１６に外嵌した状態で、別の折版屋根材１をフレーム２および補助フレーム５の上側に被せる。
【００２０】
この際、折版屋根材１の厚みに応じて吊子３の上下位置を調節するとともに、折版屋根材１の前後の傾きに応じて吊子３の前後の傾きを調節する。このとき、補助フレーム５は吊子３に連動して前後に傾き、補助フレーム５の受け部３３で、傾いた折版屋根材１の肩壁１１の下面をしっかりと受け止める。フレーム２の受け板部２３は、前述のように前後方向に湾曲しているので、折版屋根材１が前後に傾いても折版屋根材１の肩壁１１の下面に確実に接触する。
【００２１】
この後、ボルト７をナット９にしっかりと締め込んで、吊子３および補助フレーム５をフレーム２に固定する。次いで、隣接する折版屋根材１・１の内外の連結部１２・１３を吊子３の上端係合部２６と共にはぜ締めすることにより、隣接する折版屋根材１・１どうしが連結される。同様にして、新たな折版屋根材１を順次はぜ締め連結して行くことにより、折版屋根が構築される。
【００２２】
このように、ボルト７を通す吊子３の長孔２９が上下縦長に形成されていると、吊子３の上下位置調節が可能になる。そのうえで、補助フレーム５を吊子３に連動させて前後に傾けるための吊子３の両突起３０・３０が、補助フレーム５の前後の側方にあるので、両突起３０・３０が吊子３の上下調節移動を邪魔することがない。
【００２３】
吊子３の両突起３０・３０を吊子３とは別体の金属片で形成し、この金属片を溶接などで吊子３に取り付けてもよい。突起３０・３０は、任意の形状を選択することができる。突起３０・３０は、補助フレーム５に対して面接触することが好ましいが、点接触や線接触であってもよい。
【００２４】
突起３０は一つのみでもよい。つまり、突起３０は、吊子３の長孔２９の前後の少なくとも一側方に配してあって補助フレーム５の基部３２の前後の少なくとも一側面に当接すればよい。
【図面の簡単な説明】
【００２５】
【図１】フレーム、吊子および補助フレームの斜視図
【図２】折版屋根を屋根下地体に固定した状態を示す縦断正面図
【図３】吊子および補助フレームの側面図
【図４】図３のＡ−Ａ線拡大断面図
【図５】図３のＢ−Ｂ線拡大断面図
【符号の説明】
【００２６】
１  折版屋根材
２  フレーム
３  吊子
５  補助フレーム
６  屋根下地体
７  ボルト
１１  肩壁
１２  内連結部
１３  外連結部
２６  吊子の上端係合部
２７  吊子の垂下板部
２９  吊子の長孔
３０  突起
３０ａ  突起の側面
３１  丸孔
３２  補助フレームの基部
３３  補助フレームの受け部
【図１】
0003107382.tif 000003
【図２】
0003107382.tif 000004
【図３】
0003107382.tif 000005
【図４】
0003107382.tif 000006
【図５】
0003107382.tif 000007